(57)【要約】【課題】新たな伝送系設備を必要とせず、ＩＰ通信系を利用して安定した網同期用タイミングの送受信を可能にする伝送装置および通信方法を提供する。【解決手段】ＴＤＭ信号をＩＰ網経由で伝送する通信システムにおける伝送装置（１０３、２０３）は、ＴＤＭ信号とＩＰ信号との間で変換を行うＴＤＭ−ＩＰ変換機能部（１１０，１１１）と、ＴＤＭ信号のタイミング信号に従って送信ＩＰ信号をタイミング信号が抽出可能なＷＤＭ用送信信号に変換する送信変換部（１１３）と、波長多重用送信信号を波長多重により対向局へ送信する波長多重分離部（１１５）と、を有する。【選択図】図２
2011130311.tif 000002
【特許請求の範囲】
【請求項１】
時分割多重（ＴＤＭ）信号をＩＰ(Internet Protocol)網経由で伝送する通信システムにおける伝送装置であって、
ＴＤＭ信号とＩＰ信号との間で変換を行うＴＤＭ−ＩＰ変換手段と、
前記ＴＤＭ信号のタイミング信号に従って、送信ＩＰ信号を前記タイミング信号が抽出可能な波長多重用送信信号に変換する送信変換手段と、
前記波長多重用送信信号を波長多重により対向局へ送信する波長多重分離手段と、
を有することを特徴とする伝送装置。
【請求項２】
少なくとも１つのＩＰネットワーク装置を接続し、前記ＴＤＭ−ＩＰ変換手段との間のＩＰ通信と前記送信信号変換手段への前記送信ＩＰ信号の送信を可能にする接続ポート手段を更に有することを特徴とする請求項１に記載の伝送装置。
【請求項３】
マスタ網同期装置から供給される網同期タイミング信号に従って前記タイミング信号を生成するタイミング信号生成手段を更に有することを特徴とする請求項１または２に記載の伝送装置。
【請求項４】
前記波長多重分離手段を通して前記対向局から受信した受信信号から受信タイミング信号および受信ＩＰ信号を取り出す受信変換手段を更に有し、前記ＴＤＭ−ＩＰ変換手段が前記受信タイミング信号に従って前記受信ＩＰ信号からＴＤＭ信号用のＩＰ信号をＴＤＭ信号に変換することを特徴とする請求項１または２に記載の伝送装置。
【請求項５】
前記受信タイミング信号に従って前記タイミング信号を生成するタイミング信号生成手段を更に有することを特徴とする請求項４に記載の伝送装置。
【請求項６】
時分割多重（ＴＤＭ）信号をＩＰ(Internet Protocol)網経由で伝送する通信システムであって、
送信側伝送装置が、
ＴＤＭ信号をＩＰ信号に変換する第１変換手段と、
前記ＴＤＭ信号のタイミング信号に従って、送信ＩＰ信号を前記タイミング信号が抽出可能な波長多重用送信信号に変換する送信変換手段と、
前記波長多重用送信信号を波長多重により受信側伝送装置へ送信する第１波長多重分離手段と、
を有し、
前記受信側伝送装置が、
前記送信側伝送装置から波長多重信号を受信する第２波長多重分離手段と、
前記受信信号から受信タイミング信号および受信ＩＰ信号を取り出す受信変換手段と、
前記受信タイミング信号に従って前記受信ＩＰ信号からＴＤＭ信号用のＩＰ信号をＴＤＭ信号に変換する第２変換手段と、
を有することを特徴とする通信システム。
【請求項７】
時分割多重（ＴＤＭ）信号をＩＰ(Internet Protocol)網経由で伝送する通信方法であって、
送信側伝送装置が、
ＴＤＭ信号をＩＰ信号に変換し、
前記ＴＤＭ信号のタイミング信号に従って、送信ＩＰ信号を前記タイミング信号が抽出可能な波長多重用送信信号に変換し、
前記波長多重用送信信号を波長多重により受信側伝送装置へ送信する、
ことを特徴とする通信方法。
【請求項８】
前記受信側伝送装置が、
前記送信側伝送装置から波長多重信号を受信し、
前記受信信号から受信タイミング信号および受信ＩＰ信号を取り出し、
前記受信タイミング信号に従って前記受信ＩＰ信号からＴＤＭ信号用のＩＰ信号をＴＤＭ信号に変換する、
ことを特徴とする請求項７に記載の通信方法。
【発明の詳細な説明】
【技術分野】
【０００１】
本発明は時分割多重（ＴＤＭ）信号をＩＰ(Internet Protocol)網経由で伝送する通信システムに係り、特に同期タイミングを伝送するための通信システム、伝送装置および通信方法に関する。
【背景技術】
【０００２】
時分割多重伝送（ＴＤＭ伝送）されている低次群同期インタフェースをＩＰ網経由で伝送するシステムが種々提案されている。一般的に、同期インタフェースの伝送では網同期が必要であるが、ＩＰ通信は独自タイミングでバースト的にＩＰ信号を送受信しているため、局間のＩＰ通信を利用して安定した網同期用タイミングの送受信は困難である。
【０００３】
たとえば特許文献１に開示されているクロック同期化方法では、パケットネットワークを介した時分割多重伝送リンクにおいて、パケットネットワークを通過するパケットの伝送時間間隔の変動をモニタして送信側と受信側のクロックの同期化を図っている。しかしながら、このようなクロック同期化方法では再生クロックの周波数および位相がネットワーク状況に左右される可能性を排除することができないために安定した正確な同期を達成することが困難である。
【０００４】
そこで、通常、同期インタフェース信号をＩＰ化して送受信するための伝送系の他に、網同期用タイミングを伝送するための伝送系を別個に設けることで安定した網同期タイミングの送受信を行っている。
【０００５】
たとえば、図１に示すように、局舎Ａ、Ｂに網同期装置１１、２１がそれぞれ設置され、これらがそれぞれの局舎内の同期端末１２、２２および時分割多重伝送装置１３、２３等に網同期タイミングを供給する。同期端末１２から同期端末２２へＴＤＭ信号が送信される場合を例示すると、送信側ＴＤＭ信号が時分割多重伝送装置１３によりＩＰパケット化され、ＩＰパケットがＩＰネットワーク装置１４を通して相手側へ送信される。相手側局舎のＩＰネットワーク装置２４で受信されたＩＰパケットは、時分割多重伝送装置２３によってＴＤＭ信号に変換され同期端末２２へ送信される。これに対して、網同期タイミングの送信はＩＰネットワークとは異なる専用の伝送系を通して行われる。この例では、網同期装置１１、２１間で同期端局装置１５、２５等の局間伝送を利用して網同期タイミングの送受信が行われる。
【先行技術文献】
【特許文献】
【０００６】
【特許文献１】特開２００４−２７４７６６号公報
【発明の概要】
【発明が解決しようとする課題】
【０００７】
上述したように、特許文献１に開示されているような汎用のＩＰネットワーク装置を利用したクロック同期化方法では網同期タイミングの安定的な伝送ができない。また、図１に示すようにＩＰネットワークとは別に網同期用タイミングの伝送系を設けることは、基幹ネットワークのオールＩＰ化によるシンプルで広帯域なシステムと既存の同期端局装置等の設備とが混在する状況となり、設備構成の複雑化、高コスト化を避けることができない。
【０００８】
そこで、本発明の目的は、新たな伝送系設備を必要とせず、ＩＰ通信系を利用して安定した網同期用タイミングの送受信を可能にする伝送装置および通信方法を提供することにある。
【課題を解決するための手段】
【０００９】
本発明による伝送装置は、時分割多重（ＴＤＭ）信号をＩＰ(Internet Protocol)網経由で伝送する通信システムにおける伝送装置であって、ＴＤＭ信号とＩＰ信号との間で変換を行うＴＤＭ−ＩＰ変換手段と、前記ＴＤＭ信号のタイミング信号に従って、送信ＩＰ信号を前記タイミング信号が抽出可能な波長多重用送信信号に変換する送信信号変換手段と、前記波長多重用送信信号を波長多重により対向局へ送信する波長多重分離手段と、を有することを特徴とする。
【００１０】
本発明による通信システムは、時分割多重（ＴＤＭ）信号をＩＰ(Internet Protocol)網経由で伝送する通信システムであって、送信側伝送装置が、ＴＤＭ信号をＩＰ信号に変換する第１変換手段と、前記ＴＤＭ信号のタイミング信号に従って、送信ＩＰ信号を前記タイミング信号が抽出可能な波長多重用送信信号に変換する送信信号変換手段と、前記波長多重用送信信号を波長多重により受信側伝送装置へ送信する第１波長多重分離手段と、を有し、前記受信側伝送装置が、前記送信側伝送装置から波長多重信号を受信する第２波長多重分離手段と、前記受信信号から受信タイミング信号および受信ＩＰ信号を取り出す受信信号変換手段と、前記受信タイミング信号に従って前記受信ＩＰ信号からＴＤＭ信号用のＩＰ信号をＴＤＭ信号に変換する第２変換手段と、を有することを特徴とする。
【００１１】
本発明による通信方法は、時分割多重（ＴＤＭ）信号をＩＰ(Internet Protocol)網経由で伝送する通信方法であって、送信側伝送装置が、ＴＤＭ信号をＩＰ信号に変換し、前記ＴＤＭ信号のタイミング信号に従って、送信ＩＰ信号を前記タイミング信号が抽出可能な波長多重用送信信号に変換し、前記波長多重用送信信号を波長多重により受信側伝送装置へ送信する、ことを特徴とする。
【発明の効果】
【００１２】
本発明によれば、新たな伝送系設備を必要とせず、ＩＰ通信系を利用して安定した網同期用タイミングの送受信が可能となる。
【図面の簡単な説明】
【００１３】
【図１】同期インタフェース信号をＩＰ化して送受信するための伝送系と、網同期用タイミングを伝送するための伝送系とが別個に設けられた通信システムの一例を示す概略的システム構成図である。
【図２】本発明の一実施形態による伝送装置を用いた通信システムの機能構成を概略的に示すブロック図である。
【図３】本発明の第１実施例による伝送装置のより詳細な機能構成を示すブロック図である。
【図４】本発明の第２実施例による伝送装置のより詳細な機能構成を示すブロック図である。
【発明を実施するための形態】
【００１４】
１．一実施形態
１．１）システム
本発明の一実施形態によれば、時分割多重伝送（ＴＤＭ伝送）されている低次群同期インタフェースをＩＰ網経由で伝送する際に波長分割多重伝送(ＷＤＭ伝送)を利用し、網同期用タイミングの送受信とＩＰ信号の送受信とを同一の伝送路で実現する。
【００１５】
以下、説明を複雑化しないために、図２に示すように、網同期装置１０１がマスタとして動作し、網同期装置２０１が網同期装置１０１のタイミングに従属するスレーブとして動作するものとする。また、それぞれの網同期装置が設けられた通信局が光伝送路（光ファイバ）で接続されているものとする。
【００１６】
図２において、マスタである網同期装置１０１はクロック信号を同期端末１０２と伝送装置１０３とに供給する。伝送装置１０３には汎用ルータ等のＩＰネットワーク装置１０４が接続され、ＩＰネットワーク装置１０４には他のＩＰ端末装置１０５が接続されうる。一方、スレーブとして動作する網同期装置２０１は、伝送装置２０３から入力する網同期用タイミングに従って網同期装置１０１に従属したタイミング信号を同期端末２０２へ供給する。伝送装置２０３には汎用ルータ等のＩＰネットワーク装置２０４が接続され、ＩＰネットワーク装置２０４には他のＩＰ端末装置２０５が接続されうる。
【００１７】
伝送装置１０３には、後述するように、ＴＤＭ−ＩＰ変換機能とＷＤＭ伝送機能とが一体化されている。伝送装置１０３は同期端末とＩＰネットワーク装置１０４とに接続され、時分割多重分離部１１０およびＩＰ変換部１１１を有する。時分割多重分離部１１０およびＩＰ変換部１１１は同期端末の端末信号の多重および端末信号への分離と多重化された同期インタフェース信号のＩＰ信号への変換および逆変換とを行う。ＩＰ変換部１１１はＩＰネットワーク装置１０４の端末側インタフェースと接続される。
【００１８】
伝送装置１０３は、網同期装置１０１からクロック信号を入力して網同期用タイミング信号を生成するタイミング生成部１１２、ＷＤＭ変換部（送信変換部１１３および受信変換部１１４）および波長多重分離部１１５を有する。
【００１９】
タイミング生成部１１２が生成した網同期用タイミング信号は送信変換部１１３へ出力される。この網同期用タイミング信号に従って、送信変換部１１３は、ＩＰネットワーク装置１０４の伝送路側インタフェースから送られてくる光ＩＰ信号を所定のＷＤＭ伝送用フレームフォーマットに変換し、所定の波長光で波長多重分離部１１５を通して相手側伝送装置２０３へ送信する。ここでＷＤＭ伝送用フレームフォーマットは網同期用タイミングを抽出可能なフォーマットである。また、受信変換部１１４は、波長多重分離部１１５で波長分離されたＷＤＭ伝送用フレームフォーマットの受信光からＩＰ信号を分離すると共に網同期用タイミング信号を抽出し、受信ＩＰ信号をＩＰネットワーク装置１０４へ、網同期用タイミング信号をタイミング生成部１１２へそれぞれ出力する。
【００２０】
従属側の伝送装置２０３も基本的な機能構成は伝送装置１０３と同様である。すなわち、伝送装置２０３は、ＩＰネットワーク装置２０４と接続するためにＴＤＭ信号とＩＰパケット信号との変換を行う時分割多重分離部２１０およびＩＰ変換部２１１を有し、さらにタイミング生成部２１２、ＷＤＭ変換部（送信変換部２１３および受信変換部２１４）および波長多重分離部２１５を有する。
【００２１】
ただし、従属側の伝送装置２０３の動作はマスタ側の伝送装置１０３と次の点で異なる。すなわち、従属側のタイミング生成部２１２は、受信変換部２１４で抽出された網同期用タイミング信号を入力すると、その網同期用タイミング信号を送信変換部２１３へ供給する。送信変換部２１３は、その網同期用タイミング信号に従ってＩＰネットワーク装置２０４から入力した光ＩＰパケット信号を所定のＷＤＭ伝送用フレームフォーマットに変換し、マスタ側とは異なる波長光で波長多重分離部２１５を通してマスタ側の伝送装置１０３へ送信する。さらに、タイミング生成部２１２は、抽出された網同期用タイミングを網同期装置２０１へ出力し、網同期装置２０１はその網同期用タイミング信号に同期したタイミング信号を同期端末２０２へ供給する。こうして、マスタ側の網同期用タイミングがＩＰ通信と共にＷＤＭ伝送されるので、同期端末１０２と同期端末２０２との間で安定した同期をとることができ、ＩＰ通信を介して信頼性の高いＴＤＭ通信が可能となる。
【００２２】
１．２）効果
上述したように、本実施形態による伝送装置１０３、２０３では、同期インタフェースの時分割多重伝送機能、ＩＰ変換機能およびＷＤＭ伝送機能が一体化され、同期インタフェースタイミングとＷＤＭ送受信タイミングとが結合した構成となっている。このために、局間のＷＤＭ伝送により、網同期タイミングの送受信とＩＰ信号のスルー伝送とが同一伝送路を通して可能となり、従来必要であった網同期用タイミングの伝送系および専用伝送路が不要となる。言い換えれば、離れた局間で網同期を構成するための網同期用タイミングの送受信機能とオールＩＰ化ネットワークの局間伝送とを伝送路を分けることなく同一伝送路で実現することができる。また、ＷＤＭ伝送の特徴としてクライアントインタフェースはスルー伝送であるから、オールＩＰ化ネットワークを構成するＩＰネットワーク装置１０４、２０４は、同期タイミングの送受信に関連した特殊な機能を具備しない汎用のＩＰネットワーク製品を用いることができるという利点がある。
【００２３】
２．第１実施例
以下、本発明の実施例による伝送装置の機能構成および動作について詳細に説明する。ただし、図２に示す伝送装置１０３、２０３は基本的に同じ機能構成を有するので、１つの伝送装置として説明する。
【００２４】
２．１）構成
図３において、第１実施例による伝送装置３０３は、ＴＤＭ−ＩＰ変換機能部、ＷＤＭ送信変換部、ＷＤＭ受信変換部、タイミング生成部３１２、波長多重分離部３１５および端末インタフェース盤３２０を有し、図示されていないが、装置全体の動作を制御する制御部や記憶装置も含む。タイミング生成部３１２は、後述するように動作モードに応じて伝送装置内の同期動作用タイミング信号を生成して各部へ供給する。また、端末インタフェース盤３２０は同期端末ごとに接続され、各端末インタフェース盤３２０は終端部３２１およびタイミング抽出部３２２を含む。
【００２５】
ＴＤＭ−ＩＰ変換機能部は時分割多重分離部３１０およびＩＰ変換部３１１を有し、ＩＰ変換部３１１は外部のＩＰネットワーク装置にＬＡＮ接続されている。端末インタフェース盤３２０の終端部３２１は同期端末に接続され、タイミング抽出部３２２で抽出されたタイミングはタイミング生成部３１２へ出力される。時分割多重分離部３１０、ＩＰ変換部３１１および端末インタフェース盤３２０の組合せにより、時分割多重された同期インタフェース信号をＩＰ化伝送するTDM_over_IP機能が構成される。
【００２６】
なお、ＩＰネットワーク装置はユーザネットワーク環境を構築する汎用のＩＰネットワーク装置であり、複数のＩＰ端末を集線し広帯域のＩＰパケット通信でＩＰネットワークを構成する。
【００２７】
ＷＤＭ送信変換部は、ＩＰネットワーク装置からの光ＩＰ送信信号を電気信号に変換するＯ／Ｅ変換部３３１と、ＩＰ送信信号を網同期用タイミング信号に従ってＷＤＭ伝送用フレームフォーマットに変換する送信信号変換部３３２と、ＷＤＭ用送信信号を所定波長の光信号に変換し波長多重分離部３１５へ出力するＥ／Ｏ変換部３３３と、を有する。
【００２８】
ＷＤＭ受信変換部は、波長多重分離部３１５から受信した所定波長の光信号を電気信号に変換するＯ／Ｅ変換部３３４と、受信信号からＩＰ信号および網同期用タイミング信号を抽出する受信信号変換部３３５と、ＩＰ信号を光信号に変換してＩＰネットワーク装置へ出力するＥ／Ｏ変換部３３６と、を有する。なお、受信信号変換部３３５で抽出された網同期用タイミング信号はタイミング生成部３１２へ出力される。
【００２９】
ＷＤＭ送信変換部およびＷＤＭ受信変換部はＩＰネットワーク装置の局間インタフェースをＷＤＭ伝送するためのトランスポンダ機能を構成する。したがって、ＷＤＭ送信変換部およびＷＤＭ受信変換部を一体化したＷＤＭトランスポンダ部として構成することもできる。
【００３０】
なお、端末インタフェース盤３２０、時分割多重分離部３１０、ＩＰ変換部３１１、ＩＰネットワーク装置および波長多重分離部３１５については当業者によく知られており、またそれらの詳細な説明は本発明と直接関係しないので省略する。
【００３１】
２．２）動作
図３において、タイミング生成部３１２はシステム構成に応じて、外部従属、同期端末従属、局間従属あるいは独立動作のいずれかにより装置内で使用するタイミング信号を生成し各部に供給する。
【００３２】
端末インタフェース盤３２０は、同期端末からの端末信号を終端して時分割多重分離部３１０へ出力し、あるいは時分割多重分離部３１０から入力した信号を端末インタフェース信号に変換して同期端末へ出力する。従属が可能なインタフェースの場合、タイミング抽出部３２２がインタフェース入力信号から網同期用タイミングの抽出を行い、タイミング生成部３１２に供給し同期端末従属動作を行うことも可能である。
【００３３】
時分割多重分離部３１０は、それぞれの同期端末の端末インタフェース盤３２０から入力する複数の端末信号を時分割多重してＩＰ変換部３１１へ出力する。また、ＩＰ変換部３１１から入力した多重化信号を同期端末毎の信号に分離し、それぞれの端末インタフェース盤３２０へ出力する。
【００３４】
ＩＰ変換部３１１は、時分割多重分離部３１０から入力した多重化信号をＩＰ信号に変換して外部のＩＰネットワーク装置に送信する。また、ＩＰ変換部３１１は、外部のＩＰネットワーク装置から受信したＩＰ信号を多重化信号に変換し、時分割多重分離部３１０へ出力する。ＩＰネットワーク装置は、ＩＰ変換部３１１からの同期端末のＩＰ送信信号や他のＩＰ端末装置からの送信ＩＰ信号を伝送装置３０３のＷＥＭ送信変換部へ出力する。
【００３５】
ＷＤＭ送信変換部の送信信号変換部３３２は、網同期タイミングに従って、ＩＰネットワーク装置から入力した送信ＩＰ信号をＷＤＭ伝送用フレームフォーマットに変換して対向局へ送信する。また、ＷＤＭ受信変換部の受信信号変換部３３５は、対向局から受信したＷＤＭ伝送用フレームフォーマット信号から網同期用タイミングの抽出およびＩＰ信号の分離を行う。抽出された網同期用タイミングはタイミング生成部３１２へ出力されることで局間従属が行われ、網同期が可能となる。また、分離されたＩＰ信号はＩＰネットワーク装置へ送信される。
【００３６】
２．３）効果
上述したように、本発明の第１実施例によれば、時分割多重伝送機能とＷＤＭ伝送機能とを組み合わせたことにより、同期インタフェースに同期したタイミングで局間のＷＤＭ伝送が可能となり、ＩＰ信号の送受信と網同期用タイミングの送受信とを同一の伝送路で実現することができる。
【００３７】
また、ＩＰネットワーク装置はタイミング転送に関して特殊な機能を持たない汎用製品を使用することができる。
【００３８】
さらに、ＷＤＭ伝送で局間伝送用フレームフォーマットに変換して送受信することにより、副情報の送受信が可能となり、局間従属の相互同期回避に関するフラグ情報通信、局間のオーダワイヤ通信、および、遠隔監視制御通信を同時に実現することができる。
【００３９】
３．第２実施例
上述した第１実施例では、ＩＰネットワーク装置の接続ポートが１個であったが、本発明はこの実施例に限定されるものではなく、ＷＤＭ伝送速度に応じて複数の接続ポートを用意することも可能である。
【００４０】
図４に示すように、本発明の第２実施例による伝送装置の基本的構成は上述した第１実施例と同様であるが、ＩＰネットワーク装置の接続ポートを２個に拡張している。すなわち、ＷＤＭ伝送速度を２倍にして２個のポートを設けることで、ＷＤＭ送信変換部およびＷＤＭ受信変換部にＩＰネットワーク装置＃１および＃２を収容することができる。
【００４１】
図４において、ＷＤＭ送信変換部は、２ポートにそれぞれ対応するＯ／Ｅ変換部３３１．１および３３１．２を有し、送信信号変換部３３２ａは、それぞれのＩＰネットワーク装置より受信した２ポート分のＩＰ信号を網同期用タイミング信号に従ってＷＤＭ伝送用フレームフォーマットに多重変換し対向局へ送信する。また、ＷＤＭ受信変換部は、２ポートにそれぞれ対応するＥ／Ｏ変換部３３６．１および３３６．２を有し、受信信号変換部３３５ａは対向局から受信したＷＤＭ伝送用フレームフォーマットの信号から網同期用タイミングの抽出およびＩＰ信号の分離を行う。抽出された網同期用タイミングをタイミング生成部３１２へ出力することで局間従属が行われ網同期が可能となる。また、分離されたＩＰ信号は、対応するＩＰネットワーク装置へ出力される。その他の構成および動作は、図３に示す第１実施例と同様であるから説明は省略する。
【００４２】
このように、本実施例によれば、ＷＤＭ伝送のシステムにおいて、ＩＰネットワーク装置を２ポート収容しているので、ＩＰトラフィックの増加に伴うＩＰネットワーク装置の増設や、ＩＰネットワーク装置の二重化構成、および、セキュリティ対策に伴うＩＰネットワーク装置の分割設置などに効率的に対応できる。
【００４３】
４．付記
（付記１）
時分割多重（ＴＤＭ）信号をＩＰ(Internet Protocol)網経由で伝送する通信システムにおける伝送装置であって、
ＴＤＭ信号とＩＰ信号との間で変換を行うＴＤＭ−ＩＰ変換手段と、
前記ＴＤＭ信号のタイミング信号に従って、送信ＩＰ信号を前記タイミング信号が抽出可能な波長多重用送信信号に変換する送信信号変換手段と、
前記波長多重用送信信号を波長多重により対向局へ送信する波長多重分離手段と、
を有することを特徴とする伝送装置。
【００４４】
（付記２）
少なくとも１つのＩＰネットワーク装置を接続し、前記ＴＤＭ−ＩＰ変換手段との間のＩＰ通信と前記送信信号変換手段への前記送信ＩＰ信号の送信を可能にする接続ポート手段を更に有することを特徴とする付記１に記載の伝送装置。
【００４５】
（付記３）
マスタ網同期装置から供給される網同期タイミング信号に従って前記タイミング信号を生成するタイミング信号生成手段を更に有することを特徴とする付記１または２に記載の伝送装置。
【００４６】
（付記４）
前記波長多重分離手段を通して前記対向局から受信した受信信号から受信タイミング信号および受信ＩＰ信号を取り出す受信信号変換手段を更に有し、前記ＴＤＭ−ＩＰ変換手段が前記受信タイミング信号に従って前記受信ＩＰ信号からＴＤＭ信号用のＩＰ信号をＴＤＭ信号に変換することを特徴とする付記１または２に記載の伝送装置。
【００４７】
（付記５）
前記受信タイミング信号に従って前記タイミング信号を生成するタイミング信号生成手段を更に有することを特徴とする付記４に記載の伝送装置。
【００４８】
（付記６）
時分割多重（ＴＤＭ）信号をＩＰ(Internet Protocol)網経由で伝送する通信システムであって、
送信側伝送装置が、
ＴＤＭ信号をＩＰ信号に変換する第１変換手段と、
前記ＴＤＭ信号のタイミング信号に従って、送信ＩＰ信号を前記タイミング信号が抽出可能な波長多重用送信信号に変換する送信信号変換手段と、
前記波長多重用送信信号を波長多重により受信側伝送装置へ送信する第１波長多重分離手段と、
を有し、
前記受信側伝送装置が、
前記送信側伝送装置から波長多重信号を受信する第２波長多重分離手段と、
前記受信信号から受信タイミング信号および受信ＩＰ信号を取り出す受信信号変換手段と、
前記受信タイミング信号に従って前記受信ＩＰ信号からＴＤＭ信号用のＩＰ信号をＴＤＭ信号に変換する第２変換手段と、
を有することを特徴とする通信システム。
【００４９】
（付記７）
前記送信側伝送装置は、少なくとも１つのＩＰネットワーク装置を接続し、前記第１変換手段との間のＩＰ通信と前記送信信号変換手段への前記送信ＩＰ信号の送信を可能にする接続ポート手段を備えていることを特徴とする付記６に記載の通信システム。
【００５０】
（付記８）
前記送信側伝送装置にはマスタ網同期装置が接続され、前記マスタ網同期装置から供給される網同期タイミング信号に従って前記タイミング信号を生成するタイミング信号生成手段を更に有することを特徴とする付記６または７に記載の通信システム。
【００５１】
（付記９）
前記受信側伝送装置は、少なくとも１つのＩＰネットワーク装置を接続し、前記第２変換手段との間のＩＰ通信と前記受信信号変換手段からの前記受信ＩＰ信号の受信を可能にする接続ポート手段を備えていることを特徴とする付記６に記載の通信システム。
【００５２】
（付記１０）
時分割多重（ＴＤＭ）信号をＩＰ(Internet Protocol)網経由で伝送する通信方法であって、
送信側伝送装置が、
ＴＤＭ信号をＩＰ信号に変換し、
前記ＴＤＭ信号のタイミング信号に従って、送信ＩＰ信号を前記タイミング信号が抽出可能な波長多重用送信信号に変換し、
前記波長多重用送信信号を波長多重により受信側伝送装置へ送信する、
ことを特徴とする通信方法。
【００５３】
（付記１１）
前記受信側伝送装置が、
前記送信側伝送装置から波長多重信号を受信し、
前記受信信号から受信タイミング信号および受信ＩＰ信号を取り出し、
前記受信タイミング信号に従って前記受信ＩＰ信号からＴＤＭ信号用のＩＰ信号をＴＤＭ信号に変換する、
ことを特徴とする付記１０に記載の通信方法。
【００５４】
（付記１２）
前記送信側伝送装置は、少なくとも１つのＩＰネットワーク装置を接続し、前記第１変換手段との間のＩＰ通信と前記送信信号変換手段への前記送信ＩＰ信号の送信を行うことを特徴とする付記１０に記載の通信方法。
【００５５】
（付記１３）
前記送信側伝送装置にはマスタ網同期装置が接続され、前記マスタ網同期装置から供給される網同期タイミング信号に従って前記タイミング信号を生成することを特徴とする付記１０に記載の通信方法。
【００５６】
（付記１４）
前記受信側伝送装置は、少なくとも１つのＩＰネットワーク装置を接続し、前記第２変換手段との間のＩＰ通信と前記受信信号変換手段からの前記受信ＩＰ信号の受信を行うことを特徴とする付記１１に記載の通信方法。
【産業上の利用可能性】
【００５７】
本発明はTDM_over_IP機能を有する伝送装置、通信システムに適用可能である。
【符号の説明】
【００５８】
１０１  網同期装置（主）
１０２  同期端末
１０３  伝送装置
１０４  ＩＰネットワーク装置
１０５  他のＩＰ端末装置
１１０  時分割多重分離部
１１１  ＩＰ変換部
１１２  タイミング生成部
１１３  送信変換部
１１４  受信変換部
１１５  波長多重分離部
２０１  網同期装置（従）
２０２  同期端末
２０３  伝送装置
２０４  ＩＰネットワーク装置
２０５  他のＩＰ端末装置
２１０  時分割多重分離部
２１１  ＩＰ変換部
２１２  タイミング生成部
２１３  送信変換部
２１４  受信変換部
２１５  波長多重分離部
３１０  時分割多重分離部
３１１  ＩＰ変換部
３１２  タイミング生成部
３１５  波長多重分離部
３２０  端末インタフェース盤
３２１  出端部
３２２  タイミング抽出部
３３１  Ｏ／Ｅ変換部
３３２  送信信号変換部
３３３  Ｅ／Ｏ変換部
３３４  Ｏ／Ｅ変換部
３３５  受信信号変換部
３３６  Ｅ／Ｏ変換部
【図１】
2011130311.tif 000003
【図２】
2011130311.tif 000004
【図３】
2011130311.tif 000005
【図４】
2011130311.tif 000006